(57)【要約】      （修正有）【課題】誰もが容易に取り扱え、且つ、作業性が良く、短時間で屋根材の板金施工作業が可能で、経済的な屋根材板金施工用治具を提供する。【解決手段】上板１′、１″と下板２′、２″の中間部に、上板、下板より奥行き幅の短い中板３′、３″を挟着して断面形状が略コの字の折り曲げ部を形成して設け、且つ、上板左右両端側面部の隙間部に屋根材の板厚寸法より若干大きめな所定の隙間をそれぞれ空けて螺着した刃物部材６をそれぞれ設け、且つ、下板後方上面部の中心に取手部２ａを設け、且つ、上板と下板と中板をそれぞれ屋根材下端の折り曲げ幅に合わせた任意長さにスライド可能に係止部材で固定して設ける。【選択図】図２
0003160560.tif 000002
【実用新案登録請求の範囲】
【請求項１】
所定の幅（Ｗ）と所定の長さ（Ｌ）を有し、且つ、左右両端部に上ハゼ折り部（ＬＰｂ）と下ハゼ折り部（ＬＰｃ）をそれぞれ設けた屋根材（ＬＰ）の板金施工用治具（Ｓ）であって、該治具（Ｓ）は上板（１）と下板（２）の中間部に、上板、下板より奥行き幅の短い中板（３）を挟着して断面形状が略コの字の折り曲げ部を形成して設け、且つ、上板左右両端側面部の隙間部に屋根材の板厚（ｔ）寸法より若干大きめな所定の隙間（ｔ'）をそれぞれ空けて螺着した刃物部材（６）（６）をそれぞれ設け、且つ、下板後方上面部の中心に取手部（２ａ）を設け、且つ、上板（１）と下板（２）と中板（３）をそれぞれ屋根材（ＬＰ）下端（ＬＰａ）の折り曲げ幅（Ｗ）に合わせた任意長さにスライド可能に係止部材で固定して設けた事を特徴とする屋根材板金施工用治具。
【考案の詳細な説明】
【技術分野】
【０００１】
この考案は、屋根材板金施工用治具に関するものである。
【背景技術】
【０００２】
従来、家屋の屋根部に使用する屋根材は左右両端部にハゼ折りといって、略逆Ｕ字形状又は略富士山形状にそれぞれ形成されていて、そのハゼ折り部をそれぞれ重合嵌着して連結し、且つ、下端部は屋根の裾部に敷設した梁部材と一緒にＵ字状に折り曲げ施工する為に、左右をハゼ部の内側から上下方向に折り曲げ幅分の切り込みをそれぞれ入れ、且つ、折り曲げ用治具を使用して下向きに１８０度折り曲げ、更に圧着用の道具を使用して梁部材の縁部材と一緒に圧着していた。
【０００３】
その為、屋根材に切り込みを入れる作業と、折り曲げる作業と、圧着する作業が複数回繰り返される為、作業性が悪く、肉体的にも重労働であり、工数的にも時間が掛かる為、多額の経費が掛かる等の問題があった。
【０００４】
そこで、上記の問題を解決するべく、誰もが容易に取り扱え、且つ、作業性が良く、短時間で屋根材の板金施工作業が可能で、経済的な屋根材板金施工用治具を早期に開発・提供する事が望まれている。
【先行技術文献】
【特許文献】
【０００５】
これまでに出願されている屋根材の板金施工用治具及び施工方法に関する特許文献を参考の為、紹介する（特許文献１〜２参照）。
【特許文献１】特許公開平０８−２１８５６５
【特許文献２】特許公開平１０−０３７４１０
【考案の概要】
【考案が解決しようとする課題】
【０００６】
そこで、上記課題を解決する為に、この考案は誰もが容易に取り扱え、且つ、作業性が良く、短時間で屋根材の板金施工作業が可能で、経済的な屋根材板金施工用治具を早期に開発・提供する事にある。
【課題を解決するための手段】
【０００７】
この課題を解決するための手段として、上板と下板の中間部に、上板、下板より奥行き幅の短い中板を挟着して断面形状が略コの字の折り曲げ部を形成して設け、且つ、上板左右両端側面部の隙間部に屋根材の板厚寸法より若干大きめな所定の隙間をそれぞれ空けて螺着した刃物部材をそれぞれ設け、且つ、下板後方上面部の中心に取手部を設け、且つ、上板と下板と中板をそれぞれ屋根材下端の折り曲げ幅に合わせた任意長さにスライド可能に係止部材で固定して設けた事を特徴とするものである。
【考案の効果】
【０００８】
この考案の効果として、上板と下板の中間部に、上板、下板より奥行き幅の短い中板を挟着して断面形状が略コの字の折り曲げ部を形成して設け、且つ、上板左右両端側面部の隙間部に屋根材の板厚寸法より若干大きめな所定の隙間をそれぞれ空けて螺着した刃物部材をそれぞれ設け、且つ、下板後方上面部の中心に取手部を設け、且つ、上板と下板と中板をそれぞれ屋根材下端の折り曲げ幅に合わせた任意長さにスライド可能に係止部材で固定して設けた事で、誰もが容易に取り扱え、且つ、切り込み作業と折り曲げ作業を同時に行える為、作業性が良く、短時間で屋根材の板金施工作業が可能で、経済的である等、極めて有益なる効果を奏するものである。
【図面の簡単な説明】
【０００９】
【図１】この考案の一実施例を示し、（Ａ）は屋根材板金施工用治具の縮時の一部欠截平面図で、（Ｂ）は伸時の平面図である。
【図２】この考案の一実施例を示し、屋根材板金施工用治具の一部欠截正面図である。
【図３】この考案の一実施例を示し、（Ａ）は屋根材板金施工用治具の右側面拡大図で、（Ｂ）は図２のａ−ａ矢視拡大断面図である。
【図４】この考案の使用例を示し、屋根材板金施工作業の作業手順を示す斜視図である。
【図５】この考案の使用例を示し、（Ａ）は屋根材下端部に治具挿入時の断面図で、（Ｂ）は折り曲げ要領を示す断面図である。
【考案を実施するための形態】
【００１０】
この考案を実施するための形態として、所定の幅（Ｗ）と所定の長さ（Ｌ）を有し、且つ、左右両端部に上ハゼ折り部（ＬＰｂ）と下ハゼ折り部（ＬＰｃ）をそれぞれ設けた屋根材（ＬＰ）の板金施工用治具（Ｓ）であって、該治具（Ｓ）は上板（１）と下板（２）の中間部に、上板、下板より奥行き幅の短い中板（３）を挟着して断面形状が略コの字の折り曲げ部を形成して設け、且つ、上板左右両端側面部の隙間部に屋根材の板厚（ｔ）寸法より若干大きめな所定の隙間（ｔ'）をそれぞれ空けて螺着した刃物部材（６）（６）をそれぞれ設け、且つ、下板後方上面部の中心に取手部（２ａ）を設け、且つ、上板（１）と下板（２）と中板（３）をそれぞれ屋根材（ＬＰ）下端（ＬＰａ）の折り曲げ幅（Ｗ）に合わせた任意長さにスライド可能に係止部材で固定して設けた事を特徴とする屋根材板金施工用治具から構成される。
【実施例１】
【００１１】
そこで、この考案の一実施例を図１〜図３に基づいて詳述すると、本考案の屋根材板金施工用治具（Ｓ）は、横幅寸法５０ｍｍ×長さ寸法３１８ｍｍ×全高約７０ｍｍで、折り曲げ部の上板（１）の板厚が９ｍｍで、下板（２）と中板（３）の板厚が６ｍｍで、取手部（２ａ）がφ９ｍｍの丸棒部材をコの字状に形成し、且つ、取手部の上下方向中程をくの字状に折り曲げ形成した左右両端を下板の後端中心部に溶着して設けている。
【００１２】
そして、屋根材板金施工用治具（Ｓ）は上板（１）の左端部から５０ｍｍの位置で２分割に切断し、更に、下板（２）と中板（３）は右端部から５０ｍｍの位置でそれぞれ２分割に切断し、且つ、上板（１）後端部の左右方向３箇所には所定長さ（Ｓ）移動可能に設けた左右方向の長さ調整用の長穴部（１ａ）（１ａ）（１ａ）を同一線上にそれぞれ設け、且つ、該長穴部には上板を案内するソケットボルト（４）・ワッシャー（５）等の案内兼係止部材をそれぞれ３箇所貫通させ、且つ、中板（３）部及び下板（２）部に螺着して設けられている。
【００１３】
図１（Ａ）は治具を縮めた時の一部欠截平面図で、（Ｂ）は治具を伸ばした時の平面図である。又、本事例の場合、長さ調整代（ＳＬ）は約３０ｍｍであるが、人力による折り曲げが可能な範囲で有れば、更に調整代（長さ）は延長することも可能である。
【００１４】
図２は本考案の治具の一部欠截正面図である。
【００１５】
図３（Ａ）は本考案の治具の右側面拡大図で、（Ｂ）は図２のａ−ａ矢視拡大断面図である。
【００１６】
そして、治具（Ｓ）を使用する時は図４に示す様に、板金施工する屋根材（ＬＰ）平面部の内幅（Ｗ）に合わせて長さ（（Ｌ１）〜（Ｌ２））を適宜調整した後、ボルト（４）・ワッシャー（５）等の係止部材で固着して設け、且つ、治具の折り曲げ部を屋根材（ＬＰ）の下端（ＬＰａ）部に挿入し、且つ、取手部（２ａ）を持って下向き方向に１８０度回動させる事で左右両端の切り込み作業と折り曲げ作業を同時施工可能にしたものである。
【００１７】
又、図５（Ａ）は治具の屋根材への挿着要領を示す断面図で、（Ｂ）は挿着した治具の折り曲げ要領を示す断面図である。
【産業上の利用可能性】
【００１８】
この考案の屋根材板金施工用治具は、誰もが容易に取り扱え、且つ、作業性が良く、短時間で屋根材の板金施工作業が可能で、経済的である為、多くの建築関係及び板金施工業者等に寄与する為、産業上の利用可能性を有する。
【符号の説明】
【００１９】
１  上板
１ａ  長穴部
２  下板
２ａ  取手部
３  中板
４  ボルト
５  ワッシャー
６  刃物部材
７  皿ビス
ＨＰｂ  上ハゼ折り部（左側）
ＨＰｃ  下ハゼ折り部（右側）
Ｌ１  縮時の治具長さ
Ｌ２  伸時の治具長さ
ＬＰ  屋根材
ＬＰａ  屋根材の下端
Ｓ  治具
ＳＬ  長さ調整代
ｔ  屋根材の板厚
ｔ'  隙間
ＵＰ  折り曲げ部
ＵＰａ  切り込み部
Ｗ  屋根材平面部の内幅寸法（折り曲げ幅）
【図１】
0003160560.tif 000003
【図２】
0003160560.tif 000004
【図３】
0003160560.tif 000005
【図４】
0003160560.tif 000006
【図５】
0003160560.tif 000007
【手続補正書】
【提出日】平成22年4月21日(2010.4.21)
【手続補正１】
【補正対象書類名】実用新案登録請求の範囲
【補正対象項目名】請求項１
【補正方法】変更
【補正の内容】
【請求項１】
所定の幅（Ｗ）と所定の長さ（Ｌ）を有し、且つ、左右両端部に上ハゼ折り部（ＬＰｂ）と下ハゼ折り部（ＬＰｃ）をそれぞれ設けた屋根材（ＬＰ）の板金施工用治具（Ｓ）であって、該治具（Ｓ）は上板（１）と下板（２）の中間部に、上板、下板より奥行き幅の短い中板（３）を挟着して断面形状が略コの字の折り曲げ部を形成して設け、且つ、上板左右両端側面部の隙間部に屋根材の板厚（ｔ）寸法より若干大きめな所定の隙間（ｔ'）をそれぞれ空けて螺着した刃物部材（６）（６）をそれぞれ設け、且つ、下板後方上面部の中心に取手部（２ａ）を設け、且つ、上板（１）は左端部付近を二分割して左短尺上板（１'）と右長尺上板（１"）にそれぞれ分割して設け、且つ、下板（２）と中板（３）は右端部付近をそれぞれ二分割して左長尺下板（２'）と左長尺中板（３'）及び右短尺下板（２"）と右短尺中板（３"）にそれぞれ分割して設け、且つ、二分割した左短尺上板（１'）と左長尺下板（２'）と左長尺中板（３'）及び右長尺上板（１"）と右短尺下板（２"）と右短尺中板（３"）をそれぞれ一体に固着して設け、且つ、屋根材（ＬＰ）下端（ＬＰａ）の折り曲げ幅に合わせた任意長さにスライド可能に係止部材で固定して設けた事を特徴とする屋根材板金施工用治具。
【手続補正２】
【補正対象書類名】明細書
【補正対象項目名】００１０
【補正方法】変更
【補正の内容】
【００１０】
この考案を実施するための形態として、所定の幅（Ｗ）と所定の長さ（Ｌ）を有し、且つ、左右両端部に上ハゼ折り部（ＬＰｂ）と下ハゼ折り部（ＬＰｃ）をそれぞれ設けた屋根材（ＬＰ）の板金施工用治具（Ｓ）であって、該治具（Ｓ）は上板（１）と下板（２）の中間部に、上板、下板より奥行き幅の短い中板（３）を挟着して断面形状が略コの字の折り曲げ部を形成して設け、且つ、上板左右両端側面部の隙間部に屋根材の板厚（ｔ）寸法より若干大きめな所定の隙間（ｔ'）をそれぞれ空けて螺着した刃物部材（６）（６）をそれぞれ設け、且つ、下板後方上面部の中心に取手部（２ａ）を設け、且つ、上板（１）は左端部付近を二分割して左短尺上板（１'）と右長尺上板（１"）にそれぞれ分割して設け、且つ、下板（２）と中板（３）は右端部付近をそれぞれ二分割して左長尺下板（２'）と左長尺中板（３'）及び右短尺下板（２"）と右短尺中板（３"）にそれぞれ分割して設け、且つ、二分割した左短尺上板（１'）と左長尺下板（２'）と左長尺中板（３'）及び右長尺上板（１"）と右短尺下板（２"）と右短尺中板（３"）をそれぞれ一体に固着して設け、且つ、屋根材（ＬＰ）下端（ＬＰａ）の折り曲げ幅に合わせた任意長さにスライド可能に係止部材で固定して設けた事を特徴とする屋根材板金施工用治具から構成される。
【手続補正３】
【補正対象書類名】明細書
【補正対象項目名】００１６
【補正方法】変更
【補正の内容】
【００１６】
そして、治具（Ｓ）を使用する時は図４に示す様に、板金施工する屋根材平面部の内幅（ＰＷ）に合わせて長さ（（Ｌ１）〜（Ｌ２））を適宜調整した後、ボルト（４）・ワッシャー（５）等の係止部材で固着して設け、且つ、治具の折り曲げ部を屋根材（ＬＰ）の下端（ＬＰａ）部に挿入し、且つ、取手部（２ａ）を持って下向き方向に１８０度回動させる事で左右両端の切り込み作業と折り曲げ作業を同時施工可能にしたものである。
【手続補正４】
【補正対象書類名】明細書
【補正対象項目名】００１９
【補正方法】変更
【補正の内容】
【００１９】
１  上板
１'  左短尺上板
１"  右長尺上板
１ａ  長穴部
２  下板
２'  左長尺下板
２"  右短尺下板
２ａ  取手部
３  中板
３'  左長尺中板
３"  右短尺中板
４  ボルト
５  ワッシャー
６  刃物部材
７  皿ビス
ＨＰｂ  上ハゼ折り部（左側）
ＨＰｃ  下ハゼ折り部（右側）
Ｌ１  縮時の治具長さ
Ｌ２  伸時の治具長さ
ＬＰ  屋根材
ＬＰａ  屋根材の下端
Ｓ  治具
ＳＬ  長さ調整代
ｔ  屋根材の板厚
ｔ'  隙間
ＵＰ  折り曲げ部
ＵＰａ  切り込み部
Ｗ  所定の幅
ＰＷ  屋根材平面部の内幅
【手続補正５】
【補正対象書類名】図面
【補正対象項目名】図１
【補正方法】変更
【補正の内容】
【図１】
0003160560.tif 000008
【手続補正６】
【補正対象書類名】図面
【補正対象項目名】図２
【補正方法】変更
【補正の内容】
【図２】
0003160560.tif 000009
【手続補正７】
【補正対象書類名】図面
【補正対象項目名】図３
【補正方法】変更
【補正の内容】
【図３】
0003160560.tif 000010
【手続補正８】
【補正対象書類名】図面
【補正対象項目名】図４
【補正方法】変更
【補正の内容】
【図４】
0003160560.tif 000011
【手続補正９】
【補正対象書類名】図面
【補正対象項目名】図５
【補正方法】変更
【補正の内容】
【図５】
0003160560.tif 000012